(57)【特許請求の範囲】
【請求項１】
ディスクが置かれるターンテーブルと、前記ターンテーブルに置かれたディスクをクランピングするディスククランパと、前記ターンテーブル及びディスククランパの各々に設けられて相互磁気力を作用させることにより前記ディスクに対するクランピング力を与える第１及び第２磁性体とを含むディスクプレーヤのディスククランピング装置において、
前記第１及び第２磁性体は、
向かい合う領域が一部は重畳され、他の一部はずれて配置され、該重畳された領域において、その外周側部分に互いに向かい合う面に互いに同一の種類の磁極を有すると共に、その内周側部分に第１磁性体により第２磁性体に第１磁性体の磁極とは反対の極性の磁極が生じて互いに向かい合う面に互いに異なる種類の磁極を有することを特徴とするディスクプレーヤのディスククランピング装置。
【請求項２】
前記第１及び第２磁性体は、
向かい合う領域のうち内周側には引力が作用して外周側には斥力が作用することを特徴とする請求項１に記載のディスクプレーヤのディスククランピング装置。
【請求項３】
前記第１磁性体は、第１磁石と、前記第１磁石の裏面に設けられる第１ヨークとを含み、
前記第２磁性体は、前記第１磁石の内周領域と対向配置される第２ヨークと、前記第２ヨークの外側に設けられてその外側端部が前記第１磁石の外周領域より外側まで延びるように配置され、前記第１磁石との対向領域において斥力を作用させる極性をもった第２磁石とを含むことを特徴とする請求項１または２に記載のディスクプレーヤのディスククランピング装置。
【発明の詳細な説明】
【０００１】
【発明の属する技術分野】
本発明はディスクプレーヤのディスククランピング装置に関する。
【０００２】
【従来の技術】
一般に、ディスクプレーヤは、ＣＤ、ＣＤ−ＲＯＭ、ＤＶＤなどの記録媒体に情報を記録したり、記録された情報を再生したりする装置であって、図１に示されたように、ハウジング（図示せず）にヒンジ結合されて垂直方向に回動自在に結合されたデッキベース４０と、所定のダンパー３０を介してこのデッキベース４０に結合されるデッキプレート２０と、デッキプレート２０に設けられてディスク１に回転力を与えるスピンドルモーター２１と、スピンドルモーター２１の回転軸２２に結合されてディスク１が置かれるターンテーブル２３と、ターンテーブル２３と向かい合うようにハウジングの上部内面に設けられてターンテーブル２３上のディスク１をクランピングするディスククランパ１０及びデッキプレート２０にディスク１の半径方向への移送自在に設けられて記録／再生動作を行う光ピックアップ２５を含んでなる。従って、ターンテーブル２３に置かれたディスク１は、図２に示されたように、ターンテーブル２３とディスククランパ１０との間にクランピングされ、この状態でスピンドルモーター２１が回転駆動されれば、そのターンテーブル２３及びディスククランパ１０と共に回転する。そして、この時、ディスク１の記録面に対する光ピックアップ２５の記録／再生作業が行われる。参照符号２３ａ及び２３ｂは、ターンテーブル２３に設けられた磁石及びバックヨークを、そして１０ａは、ディスククランパ１０に設けられたヨークを各々表わし、これらの磁力結合によりディスク１がクランピングされる。
【０００３】
ところで、前述のようにディスク１をクランピングする構造は、クランピングされるディスクの厚さが常に１．２ｍｍと一定であるという仮定下でなされたものである。すなわち、通常、ディスクプレーヤで使われるディスクのほとんどが厚さ１．２ｍｍとなっているため、これをクランピングするためのターンテーブル２３と、クランパ１０の磁石２３ａ及びヨーク２３ｂ，１０ａもそれに見合うように設計されている。しかしながら、近年、ディスクの高密度化及びディスクプレーヤの小型薄型化が進むに伴い、ディスクの厚さにも様々な変化が予想されており、一部では既に市販されている。問題は、このようにディスクの厚さが変わる場合、既存のように１．２ｍｍの一定厚さに合わせて構成されたクランピング構造ではその変化に十分に対応し難いという点にある。なぜならば、ディスクの厚さが変われば、クランピング力を与える磁石２３ａとヨーク１０ａとの距離が変わって結合力が変わるが、ディスクが厚過ぎると結合力が弱まってディスクが離脱する可能性があり、反対に薄過ぎると、結合力が強すぎてクランピング解除が困難になるからである。このようになれば、全体的な厚さ範囲が円滑にカバーできる適正クランピング力を設定することが極めて困難になる。
【０００４】
この理由から、ディスクの厚さ変化に伴うクランピング力の変化が低減できる新しい構造のディスククランピング装置が望まれる。
【０００５】
【発明が解決しようとする課題】
本発明は上記事情に鑑みてなされたものであり、その目的は、ディスクの厚さ変化に伴うクランピング力の変化を抑えたディスクプレーヤのディスククランピング装置を提供するところにある。
【０００６】
【課題を解決するための手段】
前記目的を達成するために、本発明は、ディスクが置かれるターンテーブルと、前記ターンテーブルに置かれたディスクをクランピングするディスククランパと、前記ターンテーブル及びディスククランパの各々に設けられて相互磁気力を作用させることにより前記ディスクに対するクランピング力を与える第１及び第２磁性体とを含むディスクプレーヤのディスククランピング装置において、前記第１及び第２磁性体は、向かい合う領域が一部は重畳され、他の一部はずれて配置され、該重畳された領域において、その外周側部分に互いに向かい合う面に互いに同一の種類の磁極を有すると共に、その内周側部分に第１磁性体により第２磁性体に第１磁性体の磁極とは反対の極性の磁極が生じて互いに向かい合う面に互いに異なる種類の磁極を有する特徴とする。
【０００７】
【発明の実施の形態】
以下、添付した図面に基づき、本発明の望ましい実施形態を詳細に説明する。
【０００８】
図３は、本発明の第１実施形態によるディスククランピング装置を示す図である。本発明の第１実施形態によるディスククランピング装置は、ディスク１が置かれるターンテーブル１００と、ターンテーブル１００と向かい合ってそのターンテーブル１００に置かれたディスク１をクランピングするディスククランパ２００及びターンテーブル１００とディスククランパ２００との各々に設けられて磁気力によるクランピング力を与える第１及び第２磁性体１１０，２１０を含む。
【０００９】
第１磁性体１１０は、第１磁石１１１及び第１ヨーク１１２を含んでなる。第１ヨーク１１２は、第１磁石１１１の裏面に設けられる。
【００１０】
第２磁性体２１０は、第２磁石２１１及び第２ヨーク２１２を含んでなる。第２ヨーク２１２は、第１磁石１１１の内周領域と向かい合って配置され、第１磁石１１１と第２ヨーク２１２との間には引力が作用する。そして、第２磁石２１１は第２ヨーク２１２の外側に設けられ、一部は第１磁石１１１の外周領域と重畳され、残りの一部は第１磁石１１１の外側に延びるように配置される。そして、第２磁石２１１は第１磁石１１１との重畳領域において斥力が作用するように第１磁石１１１とは反対の極性をもっている。例えば、第１磁石１１１の上面側がＮ極である場合にはそれと向かい合う第２磁石２１１の下面測もＮ極になる。従って、第１及び２磁石１１１，２１１の重畳領域においては斥力が生じる。しかし、重畳されずにずれている部分では第２磁石２１１のＮ極から第１ヨーク１１２へと漏れる磁束が形成されて他の引力が相互間に生じる。図５Ｂは、この実施形態の構成により形成される磁束分布を測定して示す結果である。これを図５Ａに示された従来の構成による磁束分布と比較してみれば、第２磁石２１１が設けられた部分に磁束分布の変化があるということが確認できる。すなわち、従来には、ターンテーブル２３の磁石２３ａ及びバックヨーク２３ｂとディスククランパ１０のヨーク１０ａとの間に引力のみ作用するために図５Ａのように一般的な磁束が形成されるのに対し、この実施形態では、図５Ｂのように、第１磁石１１１と第２磁石２１１との間に斥力及び引力がどちらも作用する磁束分布が形成される。一見第１及び第２磁石１１１，２１１の重畳領域における斥力によりターンテーブル１００とディスククランパ２００との間が隔てられるようであるが、実際には、第１磁石１１１と第２ヨーク２１２との間の引力及び第２磁石２１１から第１ヨーク１１２側へと回る引力の影響が一層大きい。
【００１１】
このような磁束分布をもったクランピング装置及び従来のクランピング装置をもってディスクの厚さ変化に伴うクランピング力の差を測定してみたところ、図６Ａの如きグラフを得ることができた。グラフに示されたこの実施形態の第１及び第２磁性体１１０，２１０によるクランピング力と従来のもののクランピング力とを比較したところ、クランピング力の絶対値は従来のものの方が遥かに高かった。このことは、この実施形態の場合、一部の区間において斥力が作用するからであると判断される。ところが、一見クランピング力が高かった方が望ましいようであるが、クランピング解除を円滑にするためには、本実施形態のものの方が一層望ましい。従来の場合、特にディスクの厚さが０．６ｍｍと薄くなる場合、クランピング力が５Ｎ以上と高まり過ぎてクランピング解除がかなり困難になるものの、この実施形態では、それに比べてクランピング解除がより円滑に行える。そして、ディスクの厚さ変化に伴うクランピング力の変化を調べてみれば、従来の場合、ディスクの厚さが０．６ｍｍから１．２ｍｍへと変わってクランピング力の差はおおよそ２．５〜３Ｎに達するのに対し、この実施形態の場合、クランピング力の変化がおおよそ１〜１．５Ｎに過ぎないということが分かる。このことは、図５Ｂに示されたように、磁束分布の変化がディスクの厚さ変化、すなわち、第１及び第２磁性体１１０，２１０間の距離の変化に伴う磁気力の変化を低減したからであると判断される。従って、この実施形態によるクランピング装置は、ディスクの厚さ変化に伴うクランピング力の変化が小であるため、これを採用すれば、厚さが相異なる各種のディスクに対するクランピングを容易に行える。
【００１２】
次に、図４は、本発明の第２実施形態によるディスククランピング装置を示す図である。この実施形態においても、重畳領域とそうでない領域とをもって向かい合う第１及び２磁性体３１０，４１０がターンテーブル３００及びディスククランパ４００の各々に設けられている。
【００１３】
第１磁性体３１０は、第１磁石３１１及び第１ヨーク３１２を含んでなる。第２磁性体４１０は、第２磁石４１１を含んでなる。第２磁石４１１は第１磁石３１１より広い幅を持ち、第１磁石３１１との重畳領域及び第１磁石３１１の外側にさらに延びて重畳されていない領域をもっている。そして、第２磁石４１１は、第１磁石３１１との重畳領域において引力が生じないように第１磁石３１１と同じ極性配列をもっている。例えば、第１磁石３１１の上面側がＮ極である場合、それと向かい合う第２磁石４１１の下面はＳ極となる。図５Ｃは、この実施形態の構成により形成される磁束分布を測定して示す結果である。これを図５Ａに示された従来の構成による磁束分布と比較してみれば、第２磁石４１１の外側、すなわち第１磁石３１１と重畳されずに延びた部分に磁束分布が空いているということが確認できる。このことは、その部分に、第１及び第２磁石３１１，４１１間に形成される磁気力線より自体のＮ−Ｓ極間を回る磁気力線の方が一層強く影響するからであると判断される。しかし、この領域を避けて第２磁石４１１から第１ヨーク３１２側へと回る引力は作用すると現れている。
【００１４】
前述した実施形態と同様に、前記磁束分布をもったクランピング装置及び従来のクランピング装置をもってディスクの厚さ変化に伴うクランピング力の差を測定してみたところ、図６Ｂの如きグラフを得ることができた。グラフに示されたこの実施形態の第１及び第２磁性体３１０，４１０によるクランピング力と従来のクランピング力とを比較してみたところ、クランピング力の絶対値は従来のものの方が一層大きいものの、ディスクの厚さ変化に伴うクランピング力の変化は、この実施形態の場合の方が一層安定しているということが確認できる。すなわち、従来の場合、ディスクの厚さが０．６ｍｍから１．２ｍｍへと変わることによるクランピング力の差はおおよそ２．５〜３Ｎに達するのに対し、この実施形態の場合、クランピング力の変化がおおよそ１〜１．５Ｎに過ぎないということが分かる。このこともまた、図５Ｃに示されたように、磁束分布の変化がディスクの厚さ変化、すなわち、第１及び第２磁性体３１０，４１０間の距離の変化に伴う磁気力変化を低減したからであると見られる。従って、この実施形態によるクランピング装置もまた、ディスクの厚さ変化に伴うクランピング力の変化が小であるため、厚さが相異なる各種のディスクに対するクランピングを容易に行える。そして、０．６ｍｍ厚さのディスクを採用する場合にもクランピング力が高まり過ぎることがないため、クランピング解除もまた円滑に行える。
【００１５】
【発明の効果】
以上述べたように、本発明に係るディスククランピング装置は、ディスク厚さの変化に伴うクランピング力の変化が極めて小であるため、様々な厚さのディスクを使ってもディスククランピング作業を容易に行える。
【図面の簡単な説明】
【図１】従来のディスククランパが採用されたディスクプレーヤを示す図である。
【図２】図１の要部を示す図である。
【図３】本発明の第１実施形態によるディスククランピング装置を示す図である。
【図４】本発明の第２実施形態によるディスククランピング装置を示す図である。
【図５Ａ】図２に示されたディスククランピング装置により形成される磁束分布を示す図である。
【図５Ｂ】図３に示されたディスククランピング装置により形成される磁束分布を示す図である。
【図５Ｃ】図４に示されたディスククランピング装置により形成される磁束分布を示す図である。
【図６Ａ】図３に示されたディスククランピング装置のディスクの厚さ変化に伴うクランピング力の変化を示すグラフである。
【図６Ｂ】図４に示されたディスククランピング装置のディスクの厚さ変化に伴うクランピング力の変化を示すグラフである。
【符号の説明】
１      ディスク
１００  ターンテーブル
１１０  第１磁性体
１１１  第１磁石
１１２  第１ヨーク
２００  ディスククランパ
２１０  第２磁性体
２１１  第２磁石
２１２  第２ヨーク
【図１】
0003871125.tif 000002
【図２】
0003871125.tif 000003
【図３】
0003871125.tif 000004
【図４】
0003871125.tif 000005
【図５Ａ】
0003871125.tif 000006
【図５Ｂ】
0003871125.tif 000007
【図５Ｃ】
0003871125.tif 000008
【図６Ａ】
0003871125.tif 000009
【図６Ｂ】
0003871125.tif 000010